(57)【要約】【課題】  ボイスコイルを並列に使用したときでもインイーダンスの極端な変化を抑制できるスピーカおよび前記スピーカを使用した発音装置を提供する。【解決手段】  スピーカは第１ボイスコイル２１と第２ボイスコイル２２を有しており、第１ボイスコイル２１よりも第２ボイスコイル２２の抵抗値が大きくなっている。オーディオ専用として使用するときは、第１ボイスコイル２１と第２ボイスコイル２２を並列で使用する。オーディオ以外の例えばノイズキャンセル信号を追加して使用するときは、２つのボイスコイルに異なる信号を供する。２つのボイスコイルの抵抗値が相違しているため、並列に使用したときと、第１ボイスコイルを単独で使用したときとで、インピーダンスに大きな差が生じるのを防止できる。【選択図】図２
2019054328.tif 000002
【特許請求の範囲】
【請求項１】
フレーム部に支持されて磁気ギャップを形成している磁気回路部と、前記磁気ギャップ内に位置しているボイスコイルと、前記ボイスコイルと共に振動する振動板と、を有するスピーカにおいて、
前記ボイスコイルとして、第１ボイスコイルと第２ボイスコイルとが設けられており、第２ボイスコイルの抵抗値が、第１ボイスコイルの抵抗値よりも大きいことを特徴とするスピーカ。
【請求項２】
前記第２ボイスコイルを構成するコイル線材の断面積が、前記第１ボイスコイルを構成するコイル線材の断面積よりも小さい請求項１記載のスピーカ。
【請求項３】
前記振動板に固定されたボビンを有し、
前記第１ボイスコイルが前記ボビンの外周に巻かれ、前記第２ボイスコイルが前記第１ボイスコイルの外側に巻かれており、
前記第１ボイスコイルと前記第２ボイスコイルとが、同じ前記磁気ギャップ内に位置している請求項２記載のスピーカ。
【請求項４】
前記第１ボイスコイルと前記第２ボイスコイルを互いに並列に接続する第１接続構造と、前記第１ボイスコイルと前記第２ボイスコイルに個別の信号を与える第２接続構造との、いずれかを選択可能である請求項１ないし３のいずれかに記載のスピーカ。
【請求項５】
前記第１ボイスコイルの両端部と、前記第２ボイスコイルの両端部に、互いに独立した端子部が設けられており、
前記端子部を選択して接続することで、前記第１接続構造と前記第２接続構との、いずれかを選択可能である請求項４記載のスピーカ。
【請求項６】
請求項４または５に記載のスピーカを使用して、前記第１ボイスコイルと前記第２ボイスコイルを前記第１接続構造とし、
並列接続された前記第１ボイスコイルと前記第２ボイスコイルに、オーディオ信号が与えられることを特徴とする発音装置。
【請求項７】
請求項４または５に記載のスピーカを使用して、前記第１ボイスコイルと前記第２ボイスコイルを前記第２接続構造とし、
前記第１ボイスコイルにオーディオ信号が与えられ、前記第２ボイスコイルに他の信号が与えられることを特徴とする発音装置。
【請求項８】
前記他の信号が、ノイズキャンセル信号である請求項７記載の発音装置。
【請求項９】
前記他の信号が、案内音声用の信号または警告音用の信号である請求項７記載の発音装置。
【発明の詳細な説明】
【技術分野】
【０００１】
本発明は、オーディオ信号を供給する第１接続構造と、オーディオ信号と共にノイズキャンセル信号などの他の信号を供給する第２接続構造と、を選択することができるスピーカおよび前記スピーカを使用した発音装置に関する。
【背景技術】
【０００２】
特許文献１に騒音制御装置に関する発明が記載されている。
特許文献１の図１に示す実施の形態では、オーディオ部から出力されて第１パワーアンプで増幅されたオーディオ信号と、騒音制御信号発生部から出力されて第２パワーアンプで増幅された騒音制御信号とが、ミキサで重畳されてスピーカに与えられる。騒音制御信号がスピーカに与えられることにより、周りの騒音が消音される。
【０００３】
特許文献１の図３に示す実施の形態では、オーディオ部と第１パワーアンプを有するオーディオユニットと、騒音制御信号発生部と第２パワーアンプを有する騒音制御ユニットとが別個に設けられており、オーディオユイットから出力されたオーディオ信号と、騒音制御ユニットから出力された騒音制御信号とが、ダブルボイスコイルスピーカに入力される。
特許文献１の図３に記載された実施の形態は、オーディオユニットと騒音制御ユニットとを互いに独立して設けることで、オーディオユニットを別のものに交換したとしても、周りの騒音を消音する効果を継続できる、ものとされている。
【０００４】
特許文献２に、キャンセル信号と楽音信号とが与えられるヘッドホンに関する発明が記載されている。
【０００５】
このヘッドホンは、第１のボイスコイルと第２のボイスコイルとで共通の振動板が駆動される。２つのボイスコイルの一方にキャンセル信号が与えられ、他方に楽音信号が与えられる。第１のボイスコイルと第２のボイスコイルは、同じ巻線で互いに同じターン数で巻かれている。
【先行技術文献】
【特許文献】
【０００６】
【特許文献１】特開２００７−２４８９１８号公報
【特許文献２】特開２００８−９８９８８号公報
【発明の概要】
【発明が解決しようとする課題】
【０００７】
特許文献１の図３に記載された実施の形態では、ダブルボイスコイルスピーカが使用されている。よって、オーディオユニットから出力されるオーディオ信号は、２つのボイスコイルのうちの一方にのみ与えられるものと予測される。特許文献２に記載されたヘッドホンも、第１のボイスコイルと第２のボイスコイルとで共通の振動板が駆動され、楽音信号は一方のボイスコイルのみに与えられる。
【０００８】
しかし、特許文献１に記載されたスピーカと特許文献２に記載されたヘッドホンは、オーディオ信号または楽音信号が２つのボイスコイルのうちの一方のみに与えられるため、騒音制御信号またはキャンセル信号の出力を停止しているときは、１つのボイスコイルのみで振動板を動作させることになり、音声への変換効率が低下し、発音感度が悪化することになる。
【０００９】
本発明は上記従来の課題を解決するものであり、オーディオ信号のみで動作させるときの感度を向上させることができ、しかも、オーディオ信号と他の信号を共に与える動作も設定できるスピーカおよび前記スピーカを使用した発音装置を提供することを目的としている。
【課題を解決するための手段】
【００１０】
本発明は、フレーム部に支持されて磁気ギャップを形成している磁気回路部と、前記磁気ギャップ内に位置しているボイスコイルと、前記ボイスコイルと共に振動する振動板と、を有するスピーカにおいて、
前記ボイスコイルとして、第１ボイスコイルと第２ボイスコイルとが設けられており、第２ボイスコイルの抵抗値が、第１ボイスコイルの抵抗値よりも大きいことを特徴とするものである。
【００１１】
本発明のスピーカは、前記第２ボイスコイルを構成するコイル線材の断面積が、前記第１ボイスコイルを構成するコイル線材の断面積よりも小さいことが好ましい。
【００１２】
本発明のスピーカは、前記振動板に固定されたボビンを有し、
前記第１ボイスコイルが前記ボビンの外周に巻かれ、前記第２ボイスコイルが前記第１ボイスコイルの外側に巻かれており、
前記第１ボイスコイルと前記第２ボイスコイルとが、同じ前記磁気ギャップ内に位置しているものである。
【００１３】
本発明のスピーカは、前記第１ボイスコイルと前記第２ボイスコイルを互いに並列に接続する第１接続構造と、前記第１ボイスコイルと前記第２ボイスコイルに個別の信号を与える第２接続構造との、いずれかを選択可能である。
【００１４】
本発明のスピーカは、前記第１ボイスコイルの両端部と、前記第２ボイスコイルの両端部に、全てが独立した端子部が設けられており、
前記端子部を選択して接続することで、前記第１接続構造と前記第２接続構との、いずれかを選択可能にできる。
【００１５】
次に、本発明の発音装置は、前記いずれかのスピーカを使用して、前記第１ボイスコイルと前記第２ボイスコイルを前記第１接続構造とし、
並列接続された前記第１ボイスコイルと前記第２ボイスコイルに、オーディオ信号が与えられることを特徴とするものである。
【００１６】
または、本発明の発音装置は、前記いずれかのスピーカを使用して、前記第１ボイスコイルと前記第２ボイスコイルを前記第２接続構造とし、
前記第１ボイスコイルにオーディオ信号が与えられ、前記第２ボイスコイルに他の信号が与えられることを特徴とするものである。
【００１７】
本発明の発音装置は、前記他の信号が、ノイズキャンセル信号である。あるいは、前記他の信号が、案内音声用の信号または警告音用の信号である。
【発明の効果】
【００１８】
本発明のスピーカは、第１ボイスコイルと第２ボイスコイルの抵抗値が相違しているため、第１ボイスコイルと第２ボイスコイルを並列に接続したときのボイスコイルの全体の抵抗値を、第１ボイスコイル単体の抵抗値に近づけることが可能になる。
【００１９】
前記スピーカを使用した発音装置は、オーディオ信号だけを供給するときに、２つのボイスコイルを並列に接続する第１接続構造とし、２つのボイスコイルにオーディオ信号を同時に与えることで、発音感度を高くすることが可能になる。また、例えば後からノイズキャンセルユニットを追加するときなどでは、スピーカを第２接続構造とし、第１ボイスコイルにオーディオ信号を供給し、第２ボイスコイルにノイズキャンセル信号などを供給することで、前記スピーカをオーディオ用とノイズキャンセル用として使用できるようになる。
【００２０】
また、２つのボイスコイルの抗値が相違しているため、オーディオ信号を、並列接続された第１ボイスコイルおよび第２ボイスコイルに供給するときと、オーディオ信号を、第１ボイスコイルにのみ供給しているときとで、スピーカ側のインピーダンスの極端な変化が生じなくなり、オーディオ用のアンプに過大電流が流れるなどの問題を防止できるようになる。
【図面の簡単な説明】
【００２１】
【図１】本発明の実施形態のスピーカを、発音側を上に向けた状態で示す断面図、
【図２】図１に示すスピーカのボイスコイルを第１接続構造として、オーディオ信号のみを供給する発音装置を示すブロック図、
【図３】（Ａ）（Ｂ）は、図１に示すスピーカのボイスコイルを第２接続構造として、第１ボイスコイルにオーディオ信号を供給し、第２ボイスコイルに他の信号を供給する発音装置を示すブロック図、
【図４】（Ａ）はスピーカに設けられた２つのボイスコイルと端子部を示す説明図、（Ｂ）は２つのボイスコイルを第１接続構造とした説明図、（Ｃ）は、２つのボイスコイルを第２接続構造とした説明図、
【発明を実施するための形態】
【００２２】
図１に本発明の実施形態のスピーカ１が示されている。
スピーカ１は、フレーム部２を有している。フレーム部２は非磁性材料または磁性材料で形成されており、金属を使用したダイキャスト法、あるいは合成樹脂を使用した射出成型、または金属板を使用した板金加工などで形成されている。フレーム部２は、磁気回路支持部２ａと振動板支持部２ｂとを有している。フレーム部２は全体が一体に形成されているものであってもよいし、磁気回路支持部２ａと振動板支持部２ｂとが別体に形成され、組み合わされて固定されているものであってもよい。
【００２３】
フレーム部２の磁気回路支持部２ａに磁気回路部３が固定されている。磁気回路部３は、中心に位置するポールヨーク４と、ポールヨーク４の下側（Ｚ２側）に固定された下部ヨーク５と、下部ヨーク５の上方（Ｚ１方向）に対向する対向ヨーク６と、下部ヨーク５と対向ヨーク６との間に固定されたマグネット７とで構成されている。マグネット７はリング状の永久磁石であり、中心穴内にポールヨーク４が位置している。マグネット７は、前方に向く面（Ｚ１側の表面）と後方に向く面（Ｚ２側の表面）とが、異なる磁極に着磁されている。ポールヨーク４の外周面と、対向ヨーク６の内周面との対向部に磁気ギャップＧが形成されている。
【００２４】
スピーカ１にボビン１１が設けられている。ボビン１１は断面が真円の筒体であり、中空である。ボビン１１は、紙製または紙と合成樹脂との合成材料で形成されている。あるいはボビンは合成樹脂材料で形成されている。ボビン１１の下部（Ｚ２側）に、ボイスコイル２０が設けられており、ボビン１１とボイスコイル２０が前記磁気ギャップＧ内に挿入されている。
【００２５】
ボイスコイル２０は、第１ボイスコイル２１と第２ボイスコイルとで構成されている。第１ボイスコイル２１は、ボビン１１の外周に巻かれており、第２ボイスコイル２２は、第１ボイスコイル２１の外周に巻かれている。第１ボイスコイル２１の抵抗値よりも第２ボイスコイル２２の抵抗値が大きくなっている。好ましい実施形態では、第１ボイスコイル２１と第２ボイスコイル２２のターン数が等しく、第２ボイスコイル２２として巻かれるコイル線材の断面積が、第１ボイスコイル２１として巻かれるコイル線材の断面積よりも小さくなっている。そのため、第２ボイスコイル２２を第１ボイスコイル２１の外周に巻き付けやすい。また、第２ボイスコイル２２を形成するコイル線材が細いため、第１ボイスコイル２１と第２ボイスコイル２２を重ねて巻いても直径が極端に大きくはならず、図１に示すように、第１ボイスコイル２１と第２ボイスコイル２２を、１つの磁気ギャップＧの内部に配置しやすくなる。
【００２６】
なお、第１ボイスコイル２１と第２ボイスコイル２２の抵抗値を相違させるために、第２ボイスコイル２２を形成するコイル線材を、第１ボイスコイル２１を形成するコイル線材よりも長くしてもよいし、第２ボイスコイル２２を形成するコイル線材の導体の比抵抗を、第１ボイスコイル２１を形成するコイル線材の導体の比抵抗よりも高くしてもよい。また、断面積とコイル長の等しい３つのボイスコイルを設けて、２つのボイスコイルを並列接続して第１ボイスコイル２１とし、残りの１つのボイスコイルを単体で用いて第２ボイスコイル２２とし、第２ボイスコイルのコイル線材の断面積を第１ボイスコイルのコイル線材の断面積の総和よりも小さくなるようにしてもよい。このようにすれば、異なる断面積のコイルを使う必要がなく、生産プロセスを容易化することができる。
抵抗値の一例としては、第１ボイスコイル２１が５Ωで、第２ボイスコイル２２が１５Ωである。
【００２７】
図４（Ａ）の説明図（回路図）に示すように、第１ボイスコイル２１と第２ボイスコイル２２は互いに独立にて巻かれている。ボビン１１またはボビン１１が固定されている振動板１２には、第１ボイスコイル２１を形成するコイル線材の一方の端部が接続されている端子部２３ａと、第１ボイスコイル２１を形成するコイル線材の他方の端部が接続されている端子部２３ｂとが設けられている。また、ボビン１１または振動板１２に、第２ボイスコイル２２を形成するコイル線材の一方の端部が接続されている端子部２４ａと、第２ボイスコイル２２を形成するコイル線材の他方の端部が接続されている端子部２４ｂとが設けられている。４つの端子部２３ａ，２３ｂ，２４ａ，２４ｂは、互いに独立して設けられている。
【００２８】
図１に示す振動板１５はいわゆるコーン形状であり、紙製または紙と合成樹脂との合成材料で形成されている。あるいは振動板１５は合成樹脂材料で形成されている。ボイスコイル２０が巻かれたボビン１１のＺ１側の端部の外周面に、振動板１２の内周部１２ａが接着されて固定されている。フレーム部２の振動板支持部２ｂのＺ１側の縁部２ｃと、振動板１２の外周部１２ｂとの間にエッジ部材１３が設けられている。エッジ部材１３は柔軟に変形できるよう布材や発泡樹脂材料で形成されている。振動板１２のＺ２側の内面に、キャップ部材１７が固定されている。
【００２９】
ボビン１１のＺ１側の外周面と、フレーム２の振動板支持部２ｂとの間にダンパー部材１４が設けられている。ダンパー部材１４は、紙製または紙と合成樹脂との合成材料で形成されている。あるいはダンパー部材１６は合成樹脂材料で形成されている。ダンパー部材１６はコルゲート加工されており、断面が波形状である。
【００３０】
図２に、前記スピーカ１を使用した発音装置３０が示されている。この発音装置３０では、スピーカ１に対して、車載用のオーディオ装置からオーディオ信号のみが与えられる。
【００３１】
図４（Ｂ）に示すように、この発音装置３０では、第１ボイスコイル２１と第２ボイスコイル２２とで、端子部２３ａと端子部２４ａとが並列接続線２５ａで接続され、端子部２３ｂと端子部２４ｂとが並列接続線２５ｂで接続されている。そして、端子部２３ａに外部引出線２６ａが接続され、端子部２３ｂに外部引出線２６ｂが接続されている。
【００３２】
図２に示す発音装置３０では、車載用のオーディオ装置がオーディオ信号生成部３１とオーディオアンプ３２とを有している。オーディオ信号生成部３１で生成されたオーディオ信号が、オーディオアンプ３２で増幅され、外部引出線２６ａ，２６ｂを介して、並列に接続された第１ボイスコイル２１と第２ボイスコイル２２の双方に与えられる。オーディオ信号生成部３１は、ＣＤやＤＶＤなどを再生する車載用ディスクプレーヤ、車載用ラジオ受信機、車載用ＴＶ受信機、車載用の音楽信号受信端末、または携帯用の音楽信号受信端末などである。
【００３３】
図２に示す発音装置３０では、スピーカ１のボビン１１に設けられた第１ボイスコイル２１と第２ボイスコイル２２の双方にオーディオ信号によるボイス電流が与えられる、２つのボイスコイル２１，２２に流れるボイス電流と磁気ギャップＧ内を横断する磁界とで誘導される電磁力（磁気エネルギー）が、ボイスコイル２１，２２のＺ１−Ｚ２方向の運動エネルギーに変換される。この運動エネルギーがボビン１１から振動板１２に伝達され、振動板１２が振動し、音響エネルギーが前方（Ｚ１方向）の空間に放出される。
【００３４】
ボビン１１に巻かれた２つのボイスコイル２１，２２の双方にボイス電流が与えられ、ボイスコイル２１，２２の双方が振動駆動に寄与するため、電流から音声への変換効率が良好で、スピーカの発音感度が高くなり、比較的大音量の発音が可能となる。
【００３５】
図３（Ａ）に前記スピーカ１を使用した発音装置４０ａが示されている。
この発音装置４０ａは、既に、車載用のオーディオ信号生成部３１とオーディオアンプ３２およびスピーカ１が搭載されている車両に、ノイズキャンセル装置４１を後から追加して搭載することで構成される。ノイズキャンセル装置４１を追加して搭載することで、前記スピーカ１を、オーディオ用とノイズキャンセル用として同時に使用することができる。
【００３６】
図３（Ａ）に示すノイズキャンセル装置４１は、ＡＮＣ（アクティブ・ノイズ・キャンセラ）と称されるものであり、環境音を相殺する音圧を生成するためのノイズキャンセル信号が出力される。ノイズキャンセル装置４１は、車室内に設けられた集音マイク４３で集音された環境音を処理して、環境音を相殺するためのアルゴリズムを演算する演算部と、アクティブフィルタなどから構成される。
【００３７】
発音装置４０ａでは、図４（Ｃ）に示すように、スピーカ１の第１ボイスコイル２１と第２ボイスコイル２２とが互いに独立して使用される。第１ボイスコイル２１の両端の端子部２３ａ，２３ｂに外部引出線２７ａ，２７ｂが接続される。オーディオ信号生成部３１で生成されたオーディオ信号がオーディオアンプ３２で増幅され、外部引出線２７ａ，２７ｂを介して、第１ボイスコイル２１に与えられる。第２ボイスコイル２２の両端の端子部２４ａ，２４ｂに外部引出線２８ａ，２８ｂが接続される。ノイズキャンセル装置４１から出力されるノイズキャンセル信号は、アンプ４２で増幅され、外部引出線２８ａ，２８ｂを介して、第２ボイスコイル２２に与えられる。
【００３８】
図３（Ａ）に示す発音装置４０ａでは、スピーカ１からオーディオ装置の音声と、ノイズキャンセル用の音圧とが重畳して発音される。また、オーディオ信号生成部３１が動作していないときには、スピーカ１からノイズキャンセル用の音圧のみが発せられる。
【００３９】
図３（Ｂ）に前記スピーカ１を使用した発音装置４０ｂが示されている。
この発音装置４０ｂは、既に、車載用のオーディオ信号生成部３１とオーディオアンプ３２およびスピーカ１が搭載されている車両に、報知信号生成部４４を後から追加して搭載することで構成される。報知信号生成部４４を追加して搭載することで、前記スピーカ１をオーディオ用と、ガイド音声や警告音の通知用として同時に使用することができる。
【００４０】
図３（Ｂ）に示す報知信号生成部４４は、カーナビゲーション装置に設けられて、車線変更や進路の変更などのガイド音声を発生するものである。または、外部電波などを受信して各種情報を取得する受信装置であり、走行中の車両が危険を回避するための警告音声や警告音を発生するものである。あるいは車両に搭載されたセンサの検知信号を受信して、車両が危険を回避するための警告音声や警告音を発生するものである。
【００４１】
発音装置４０ｂは、オーディオ信号生成部３１で生成されたオーディオ信号が、オーディオアンプ３２で増幅され、外部引出線２７ａ，２７ｂを介して、第１ボイスコイル２１に与えられる。報知信号生成部４４から出力される報知信号は、アンプ４５で増幅され、外部引出線２８ａ，２８ｂを介して、第２ボイスコイル２２に与えられる。
【００４２】
図３（Ｂ）に示す発音装置４０ｂでは、スピーカ１からオーディオ装置の音声と、ガイド音声や警告音とが重畳して発音される。また、オーディオ信号生成部３１が動作していないときには、ガイド音声や警告音のみが発せられる。
【００４３】
実施形態のスピーカ１は、図２に示すようにオーディオ用として使用されるときに、第１ボイスコイル２１と第２ボイスコイル２２とが並列に接続されて使用されるため、スピーカ１の感度を高くし、音声変換効率を高めることができる。また、図３（Ａ）（Ｂ）に示すように、車両に後からノイズキャンセル装置４１や報知信号生成部４４を追加して搭載するときは、第１ボイスコイルをオーディオ用として使用し、第２ボイスコイル２２をノイズキャンセル用の音圧発生や、ガイド音声や警告音の発音に使用することができる。
【００４４】
図２に示す発音装置３０では、第１ボイスコイル２１と第２ボイスコイル２２が並列に接続されて、２つのボイスコイル２１，２２がオーディオ装置に接続され、図３（Ａ）に示す発音装置４０ａと図３（Ｂ）に示す発音装置４０ｂでは、第１ボイスコイル２１のみがオーディオ装置に接続される。しかし、第１ボイスコイル２１と第２ボイスコイル２２とで抵抗値が異なっているために、図２に示す発音装置３０と、図３（Ａ）（Ｂ）に示す発音装置４０ａ，４０ｂとで、スピーカ１とアンプを含む回路のインピーダンスの大きな変化が生じるのを抑制できるようになっている。
【００４５】
例えば、第１ボイスコイル２１の抵抗値を５Ωとし、第２ボイスコイル２２の抵抗値を１５Ωとすると、２つのボイスコイル２１，２２が並列に接続されたボイスコイル２０の全体の抵抗値は３．７５Ωとなる。この３．７５Ωは、第１ボイスコイル２１を単体でオーディオとして使用したときの抵抗値５Ωと比較すると、わずかに２５パーセント相違するだけである。そのため、スピーカとアンプを含む回路のインピーダンスに大きな差が生じるのを防止でき、オーディオアンプ３２を保護することができる。例えば、オーディオアンプ３２の定格値として、スピーカの抵抗値が４Ωまたは５Ω程度のものを使用したときに、ボイスコイルを並列にしたときの抵抗値を３．７５Ωにできるため、オーディオアンプ３２を定格値の許容範囲内で動作させることができ、オーディオアンプ３２に過電流が流れる現象を避けることができる。
【００４６】
ここで、仮に、第１ボイスコイル２１と第２ボイスコイルが共に５Ωであったとすると、ボイスコイルを並列で使用したときの抵抗値が２．５Ωとなり、第１ボイスコイル２１を単体で使用したときの抵抗値の５Ωの１／２となる。このような使用形態では、定格値が５Ωのオーディオアンプ３２を使用したときの定格値の許容範囲を大きく外れることになり、オーディオアンプ３２に過電流が流れ、故障やシャットダウンの原因となる。
【００４７】
第１ボイスコイル２１と第２ボイスコイル２２の抵抗値の比としては、第１ボイスコイル２１の抵抗値を「１」としたときに、第２ボイスコイル２２の抵抗値が「２以上で４以下」であることが好ましい。この範囲であれば、ボイスコイルを並列に接続したときの抵抗値を、第１ボイスコイル２１を単独で使用したときの６７〜８０％の範囲に抑えることができる。しかも、第２ボイスコイル２２の抵抗値が高くなりすぎるのを抑制することができる。
【符号の説明】
【００４８】
１  スピーカ
２  フレーム部
３  磁気回路部
１１  ボビン
１２  振動板
１３  エッジ部材
１４  ダンパー部材
２０  ボイスコイル
２１  第１ボイスコイル
２２  第２ボイスコイル
２３ａ，２３ｂ，２４ａ，２４ｂ  端子部
３０，４０ａ，４０ｂ  発音装置
３１  オーディオ信号生成部
３２  オーディオアンプ
４１  ノイズキャンセル装置
４４  報知信号生成部
【図１】
2019054328.tif 000003
【図２】
2019054328.tif 000004
【図３】
2019054328.tif 000005
【図４】
2019054328.tif 000006